(57)【要約】【課題】管理装置の管理データを設定端末に取り込んで処理する際に、設定端末でのデータ処理の不具合が原因で管理装置の管理データが不正に書き換えられることを防止する。【解決手段】画像形成装置１の使用実績情報を管理する管理装置２の設定を行なう設定端末３の構成として、管理装置から画像形成枚数のカウント情報を含む管理データを受信する手段と、受信した管理データを記憶する手段と、受信した管理データに管理項目の変更処理を施す手段と、管理項目変更処理後の管理データに含まれる画像形成枚数のカウント情報に基づく総カウント値と、管理項目変更処理前に記憶した管理データに含まれる画像形成枚数のカウント情報に基づく総カウント値とを比較する手段と、比較結果において、一致する場合は、管理項目変更処理後の管理データを管理装置に送信し、一致しない場合は、管理項目変更処理前に記憶した管理データを管理装置に送信する手段とを備える。【選択図】図１
2008040708.tif 000002
【特許請求の範囲】
【請求項１】
画像形成装置の使用実績情報を管理する管理装置の設定を行なう設定端末であって、
前記管理装置から管理データを受信する手段と、
前記受信した管理データを記憶する手段と、
前記受信した管理データに所定の処理を施す手段と、
前記所定の処理後の管理データに基づく所定値と、前記所定の処理前に記憶した管理データに基づく所定値とが、一致する場合に、前記所定の処理後の管理データを前記管理装置に送信する手段と
を備えることを特徴とする設定端末。
【請求項２】
画像形成装置の使用実績情報を管理する管理装置の設定を行なう設定端末であって、
前記管理装置から管理データを受信する手段と、
前記受信した管理データを記憶する手段と、
前記受信した管理データに所定の処理を施す手段と、
前記所定の処理後の管理データに基づく所定値と、前記所定の処理前に記憶した管理データに基づく所定値とが、一致しない場合に、前記所定の処理前に記憶した管理データを前記管理装置に送信する手段と
を備えることを特徴とする設定端末。
【請求項３】
画像形成装置の使用実績情報を管理する管理装置であって、
管理データを設定端末に送信する手段と、
前記管理データを送信した後に前記設定端末から管理データを受信する手段と、
前記設定端末に送信した管理データに基づく所定値と、前記設定端末から受信した管理データに基づく所定値とが、一致する場合に、前記受信した管理データを自装置内に展開する手段と
を備えることを特徴とする管理装置。
【請求項４】
画像形成装置の使用実績情報を管理する管理装置であって、
管理データを設定端末に送信する手段と、
前記管理データを送信した後に前記設定端末から管理データを受信する手段と、
前記設定端末に送信した管理データに基づく所定値と、前記設定端末から受信した管理データに基づく所定値とが、一致しない場合に、前記受信した管理データを破棄する手段と
を備えることを特徴とする管理装置。
【請求項５】
請求項１又は２に記載の設定端末と請求項３又は４に記載の管理装置とを備える
ことを特徴とする管理システム。
【請求項６】
画像形成装置の使用実績情報を管理する管理装置の設定を行なう設定端末のコンピュータを、
前記管理装置から管理データを受信する手段、
前記受信した管理データを記憶させる手段、
前記受信した管理データに所定の処理を施す手段、
前記所定の処理後の管理データに基づく所定値と、前記所定の処理前に記憶させた管理データに基づく所定値とが、一致する場合に、前記所定の処理後の管理データを前記管理装置に送信する手段
として機能させるためのプログラム。
【請求項７】
画像形成装置の使用実績情報を管理する管理装置の設定を行なう設定端末のコンピュータを、
前記管理装置から管理データを受信する手段、
前記受信した管理データを記憶させる手段、
前記受信した管理データに所定の処理を施す手段、
前記所定の処理後の管理データに基づく所定値と、前記所定の処理前に記憶させた管理データに基づく所定値とが、一致しない場合に、前記所定の処理前に記憶させた管理データを前記管理装置に送信する手段
として機能させるためのプログラム。
【請求項８】
画像形成装置の使用実績情報を管理する管理装置のコンピュータを、
管理データを設定端末に送信する手段、
前記管理データを送信した後に前記設定端末から管理データを受信する手段、
前記設定端末に送信した管理データに基づく所定値と、前記設定端末から受信した管理データに基づく所定値とが、一致する場合に、前記受信した管理データを自装置内に展開する手段
として機能させるためのプログラム。
【請求項９】
画像形成装置の使用実績情報を管理する管理装置のコンピュータを、
管理データを設定端末に送信する手段、
前記管理データを送信した後に前記設定端末から管理データを受信する手段、
前記設定端末に送信した管理データに基づく所定値と、前記設定端末から受信した管理データに基づく所定値とが、一致しない場合に、前記受信した管理データを破棄する手段
として機能させるためのプログラム。
【請求項１０】
画像形成装置の使用実績情報を管理する管理装置の設定を行なう設定端末であって、
前記管理装置から画像形成枚数のカウント情報を含む管理データを受信する手段と、
前記受信した管理データを記憶する手段と、
前記受信した管理データに管理項目の変更処理を施す手段と、
前記管理項目変更処理後の管理データに含まれる画像形成枚数のカウント情報に基づく総カウント値又は利用者別のカウント値と、前記管理項目変更処理前に記憶した管理データに含まれる画像形成枚数のカウント情報に基づく総カウント値又は利用者別のカウント値とが、一致する場合に、前記管理項目変更処理後の管理データを前記管理装置に送信する手段と
を備えることを特徴とする設定端末。
【請求項１１】
画像形成装置の使用実績情報を管理する管理装置の設定を行なう設定端末であって、
前記管理装置から画像形成枚数のカウント情報を含む管理データを受信する手段と、
前記受信した管理データを記憶する手段と、
前記受信した管理データに管理項目の変更処理を施す手段と、
前記管理項目変更処理後の管理データに含まれる画像形成枚数のカウント情報に基づく総カウント値又は利用者別のカウント値と、前記管理項目変更処理前に記憶した管理データに含まれる画像形成枚数のカウント情報に基づく総カウント値又は利用者別のカウント値とが、一致しない場合に、前記管理項目変更処理前に記憶した管理データを前記管理装置に送信する手段と
を備えることを特徴とする設定端末。
【請求項１２】
画像形成装置の使用実績情報を管理する管理装置の設定を行なう設定端末であって、
前記管理装置から利用者情報を含む管理データを受信する手段と、
前記受信した管理データを記憶する手段と、
前記受信した管理データに利用者情報の変更処理を施す手段と、
前記利用者情報変更処理後の管理データに含まれる利用者情報に基づく利用者数と、前記利用者情報変更処理前に記憶した管理データに含まれる利用者情報に基づく利用者数とが、一致する場合に、前記利用者情報変更処理後の管理データを前記管理装置に送信する手段と
を備えることを特徴とする設定端末。
【請求項１３】
画像形成装置の使用実績情報を管理する管理装置の設定を行なう設定端末であって、
前記管理装置から利用者情報を含む管理データを受信する手段と、
前記受信した管理データを記憶する手段と、
前記受信した管理データに利用者情報の変更処理を施す手段と、
前記利用者情報変更処理後の管理データに含まれる利用者情報に基づく利用者数と、前記利用者情報変更処理前に記憶した管理データに含まれる利用者情報に基づく利用者数とが、一致しない場合に、前記利用者情報変更処理前に記憶した管理データを前記管理装置に送信する手段と
を備えることを特徴とする設定端末。
【請求項１４】
画像形成装置の使用実績情報を管理する管理装置の設定を行なう設定端末であって、
前記管理装置から利用者情報を含む管理データを受信する手段と、
前記受信した管理データを記憶する手段と、
前記受信した管理データに利用者数を増減する利用者数変更処理を施す手段と、
前記利用者数変更処理後の管理データに含まれる利用者情報に基づく利用者数と、前記利用者数変更処理前に記憶した管理データに含まれる利用者情報に基づく利用者数に前記利用者数変更処理による利用者数の増減分を反映した利用者数とが、一致する場合に、前記利用者数変更処理後の管理データを前記管理装置に送信する手段と
を備えることを特徴とする設定端末。
【請求項１５】
画像形成装置の使用実績情報を管理する管理装置の設定を行なう設定端末であって、
前記管理装置から利用者情報を含む管理データを受信する手段と、
前記受信した管理データを記憶する手段と、
前記受信した管理データに利用者数を増減する利用者数変更処理を施す手段と、
前記利用者数変更処理後の管理データに含まれる利用者情報に基づく利用者数と、前記利用者数変更処理前に記憶した管理データに含まれる利用者情報に基づく利用者数に前記利用者数変更処理による利用者数の増減分を反映した利用者数とが、一致しない場合に、前記利用者数変更処理前に記憶した管理データを前記管理装置に送信する手段と
を備えることを特徴とする設定端末。
【請求項１６】
画像形成装置の使用実績情報を管理する管理装置であって、
画像形成枚数のカウント情報を含む管理データを設定端末に送信する手段と、
前記管理データを送信した後に前記設定端末から管理データを受信する手段と、
前記設定端末に送信した管理データに含まれる画像形成枚数のカウント情報に基づく総カウント値又は利用者別のカウント値と、前記設定端末から受信した管理データに含まれる画像形成枚数のカウント情報に基づく総カウント枚数又は利用者別のカウント値とが、一致する場合に、前記受信した管理データを自装置内に展開する手段と
を備えることを特徴とする管理装置。
【請求項１７】
画像形成装置の使用実績情報を管理する管理装置であって、
画像形成枚数のカウント情報を含む管理データを設定端末に送信する手段と、
前記管理データを送信した後に前記設定端末から管理データを受信する手段と、
前記設定端末に送信した管理データに含まれる画像形成枚数のカウント情報に基づく総カウント値又は利用者別のカウント値と、前記設定端末から受信した管理データに含まれる画像形成枚数のカウント情報に基づく総カウント枚数又は利用者別のカウント値とが、一致しない場合に、前記受信した管理データを破棄する手段と
を備えることを特徴とする管理装置。
【発明の詳細な説明】
【技術分野】
【０００１】
本発明は、設定端末、管理装置、管理システム及びプログラムに関する。
【背景技術】
【０００２】
複写機、複合機などの画像形成装置の使用実績情報を、当該画像形成装置に接続された管理装置で管理する画像形成装置管理システムに関して、例えば特許文献１には、管理装置のメンテナンスを行なう際に、管理装置内のデータを設定端末に退避し、メンテナンス終了後に、設定端末から管理装置にデータを書き戻す技術が開示されている。
【０００３】
【特許文献１】特開２００２−２４４８３７号公報
【発明の開示】
【発明が解決しようとする課題】
【０００４】
本発明は、管理装置の管理データを設定端末に取り込んで処理する場合に、設定端末でのデータ処理の不具合が原因で、管理装置の管理データが不正に書き換えられることを防止できる仕組みを提供することを目的とする。
【課題を解決するための手段】
【０００５】
請求項１に記載の発明は、画像形成装置の使用実績情報を管理する管理装置の設定を行なう設定端末であって、前記管理装置から管理データを受信する手段と、前記受信した管理データを記憶する手段と、前記受信した管理データに所定の処理を施す手段と、前記所定の処理後の管理データに基づく所定値と、前記所定の処理前に記憶した管理データに基づく所定値とが、一致する場合に、前記所定の処理後の管理データを前記管理装置に送信する手段とを備えることを特徴とするものである。
【０００６】
請求項２に記載の発明は、画像形成装置の使用実績情報を管理する管理装置の設定を行なう設定端末であって、前記管理装置から管理データを受信する手段と、前記受信した管理データを記憶する手段と、前記受信した管理データに所定の処理を施す手段と、前記所定の処理後の管理データに基づく所定値と、前記所定の処理前に記憶した管理データに基づく所定値とが、一致しない場合に、前記所定の処理前に記憶した管理データを前記管理装置に送信する手段とを備えることを特徴とするものである。
【０００７】
請求項３に記載の発明は、画像形成装置の使用実績情報を管理する管理装置であって、管理データを設定端末に送信する手段と、前記管理データを送信した後に前記設定端末から管理データを受信する手段と、前記設定端末に送信した管理データに基づく所定値と、前記設定端末から受信した管理データに基づく所定値とが、一致する場合に、前記受信した管理データを自装置内に展開する手段とを備えることを特徴とするものである。
【０００８】
請求項４に記載の発明は、画像形成装置の使用実績情報を管理する管理装置であって、管理データを設定端末に送信する手段と、前記管理データを送信した後に前記設定端末から管理データを受信する手段と、前記設定端末に送信した管理データに基づく所定値と、前記設定端末から受信した管理データに基づく所定値とが、一致しない場合に、前記受信した管理データを破棄する手段とを備えることを特徴とするものである。
【０００９】
請求項５に記載の発明は、請求項１又は２に記載の設定端末と請求項３又は４に記載の管理装置とを備えることを特徴とする管理システムである。
【００１０】
請求項６に記載の発明は、画像形成装置の使用実績情報を管理する管理装置の設定を行なう設定端末のコンピュータを、前記管理装置から管理データを受信する手段、前記受信した管理データを記憶させる手段、前記受信した管理データに所定の処理を施す手段、前記所定の処理後の管理データに基づく所定値と、前記所定の処理前に記憶させた管理データに基づく所定値とが、一致する場合に、前記所定の処理後の管理データを前記管理装置に送信する手段として機能させるためのプログラムである。
【００１１】
請求項７に記載の発明は、画像形成装置の使用実績情報を管理する管理装置の設定を行なう設定端末のコンピュータを、前記管理装置から管理データを受信する手段、前記受信した管理データを記憶させる手段、前記受信した管理データに所定の処理を施す手段、前記所定の処理後の管理データに基づく所定値と、前記所定の処理前に記憶させた管理データに基づく所定値とが、一致しない場合に、前記所定の処理前に記憶させた管理データを前記管理装置に送信する手段として機能させるためのプログラムである。
【００１２】
請求項８に記載の発明は、画像形成装置の使用実績情報を管理する管理装置のコンピュータを、管理データを設定端末に送信する手段、前記管理データを送信した後に前記設定端末から管理データを受信する手段、前記設定端末に送信した管理データに基づく所定値と、前記設定端末から受信した管理データに基づく所定値とが、一致する場合に、前記受信した管理データを自装置内に展開する手段として機能させるためのプログラムである。
【００１３】
請求項９に記載の発明は、画像形成装置の使用実績情報を管理する管理装置のコンピュータを、管理データを設定端末に送信する手段、前記管理データを送信した後に前記設定端末から管理データを受信する手段、前記設定端末に送信した管理データに基づく所定値と、前記設定端末から受信した管理データに基づく所定値とが、一致しない場合に、前記受信した管理データを破棄する手段として機能させるためのプログラムである。
【００１４】
請求項１０に記載の発明は、画像形成装置の使用実績情報を管理する管理装置の設定を行なう設定端末であって、前記管理装置から画像形成枚数のカウント情報を含む管理データを受信する手段と、前記受信した管理データを記憶する手段と、前記受信した管理データに管理項目の変更処理を施す手段と、前記管理項目変更処理後の管理データに含まれる画像形成枚数のカウント情報に基づく総カウント値又は利用者別のカウント値と、前記管理項目変更処理前に記憶した管理データに含まれる画像形成枚数のカウント情報に基づく総カウント値又は利用者別のカウント値とが、一致する場合に、前記管理項目変更処理後の管理データを前記管理装置に送信する手段とを備えることを特徴とするものである。
【００１５】
請求項１１に記載の発明は、画像形成装置の使用実績情報を管理する管理装置の設定を行なう設定端末であって、前記管理装置から画像形成枚数のカウント情報を含む管理データを受信する手段と、前記受信した管理データを記憶する手段と、前記受信した管理データに管理項目の変更処理を施す手段と、前記管理項目変更処理後の管理データに含まれる画像形成枚数のカウント情報に基づく総カウント値又は利用者別のカウント値と、前記管理項目変更処理前に記憶した管理データに含まれる画像形成枚数のカウント情報に基づく総カウント値又は利用者別のカウント値とが、一致しない場合に、前記管理項目変更処理前に記憶した管理データを前記管理装置に送信する手段とを備えることを特徴とするものである。
【００１６】
請求項１２に記載の発明は、画像形成装置の使用実績情報を管理する管理装置の設定を行なう設定端末であって、前記管理装置から利用者情報を含む管理データを受信する手段と、前記受信した管理データを記憶する手段と、前記受信した管理データに利用者情報の変更処理を施す手段と、前記利用者情報変更処理後の管理データに含まれる利用者情報に基づく利用者数と、前記利用者情報変更処理前に記憶した管理データに含まれる利用者情報に基づく利用者数とが、一致する場合に、前記利用者情報変更処理後の管理データを前記管理装置に送信する手段とを備えることを特徴とするものである。
【００１７】
請求項１３に記載の発明は、画像形成装置の使用実績情報を管理する管理装置の設定を行なう設定端末であって、前記管理装置から利用者情報を含む管理データを受信する手段と、
前記受信した管理データを記憶する手段と、前記受信した管理データに利用者情報の変更処理を施す手段と、前記利用者情報変更処理後の管理データに含まれる利用者情報に基づく利用者数と、前記利用者情報変更処理前に記憶した管理データに含まれる利用者情報に基づく利用者数とが、一致しない場合に、前記利用者情報変更処理前に記憶した管理データを前記管理装置に送信する手段とを備えることを特徴とするものである。
【００１８】
請求項１４に記載の発明は、画像形成装置の使用実績情報を管理する管理装置の設定を行なう設定端末であって、前記管理装置から利用者情報を含む管理データを受信する手段と、前記受信した管理データを記憶する手段と、前記受信した管理データに利用者数を増減する利用者数変更処理を施す手段と、前記利用者数変更処理後の管理データに含まれる利用者情報に基づく利用者数と、前記利用者数変更処理前に記憶した管理データに含まれる利用者情報に基づく利用者数に前記利用者数変更処理による利用者数の増減分を反映した利用者数とが、一致する場合に、前記利用者数変更処理後の管理データを前記管理装置に送信する手段とを備えることを特徴とするものである。
【００１９】
請求項１５に記載の発明は、画像形成装置の使用実績情報を管理する管理装置の設定を行なう設定端末であって、前記管理装置から利用者情報を含む管理データを受信する手段と、
前記受信した管理データを記憶する手段と、前記受信した管理データに利用者数を増減する利用者数変更処理を施す手段と、前記利用者数変更処理後の管理データに含まれる利用者情報に基づく利用者数と、前記利用者数変更処理前に記憶した管理データに含まれる利用者情報に基づく利用者数に前記利用者数変更処理による利用者数の増減分を反映した利用者数とが、一致しない場合に、前記利用者数変更処理前に記憶した管理データを前記管理装置に送信する手段とを備えることを特徴とするものである。
【００２０】
請求項１６に記載の発明は、画像形成装置の使用実績情報を管理する管理装置であって、画像形成枚数のカウント情報を含む管理データを設定端末に送信する手段と、前記管理データを送信した後に前記設定端末から管理データを受信する手段と、前記設定端末に送信した管理データに含まれる画像形成枚数のカウント情報に基づく総カウント値又は利用者別のカウント値と、前記設定端末から受信した管理データに含まれる画像形成枚数のカウント情報に基づく総カウント枚数又は利用者別のカウント値とが、一致する場合に、前記受信した管理データを自装置内に展開する手段とを備えることを特徴とするものである。
【００２１】
請求項１７に記載の発明は、画像形成装置の使用実績情報を管理する管理装置であって、画像形成枚数のカウント情報を含む管理データを設定端末に送信する手段と、前記管理データを送信した後に前記設定端末から管理データを受信する手段と、前記設定端末に送信した管理データに含まれる画像形成枚数のカウント情報に基づく総カウント値又は利用者別のカウント値と、前記設定端末から受信した管理データに含まれる画像形成枚数のカウント情報に基づく総カウント枚数又は利用者別のカウント値とが、一致しない場合に、前記受信した管理データを破棄する手段とを備えることを特徴とするものである。
【発明の効果】
【００２２】
請求項１に記載の発明によれば、管理装置から受信した管理データに所定の処理を施し、所定の処理後の管理データに基づく所定値と、所定の処理前に記憶した管理データに基づく所定値とが、一致する場合に、所定の処理後の管理データを管理装置に送信することにより、設定端末でのデータ処理が適正に行なわれた場合だけ管理装置の管理データを書き換えることができる。
【００２３】
請求項２に記載の発明によれば、管理装置から受信した管理データに所定の処理を施し、所定の処理後の管理データに基づく所定値と、所定の処理前に記憶した管理データに基づく所定値とが、一致しない場合に、所定の処理前に記憶した管理データを管理装置に送信することにより、設定端末でのデータ処理に不具合があった場合に、管理装置の管理データが不正に書き換えられることを未然に防止することができる。
【００２４】
請求項３に記載の発明によれば、管理装置から設定端末に管理データを送信した後、設定端末から送信された管理データを管理装置で受信し、設定端末に送信した管理データに基づく所定値と、設定端末から受信した管理データに基づく所定値とが、一致する場合に、設定端末から受信した管理データを管理装置内に展開することにより、設定端末でのデータ処理が適正に行なわれた場合だけ管理装置の管理データを書き換えることができる。
【００２５】
請求項４に記載の発明によれば、管理装置から設定端末に管理データを送信した後、設定端末から送信された管理データを管理装置で受信し、設定端末に送信した管理データに基づく所定値と、設定端末から受信した管理データに基づく所定値とが、一致しない場合に、設定端末から受信した管理データを破棄することにより、設定端末でのデータ処理に不具合があった場合に、管理装置の管理データが不正に書き換えられることを未然に防止することができる。
【００２６】
請求項５に記載の発明によれば、設定端末でのデータ処理が適正に行なわれた場合は、適正に処理されたデータで管理装置の管理データを書き換えることができ、設定端末でのデータ処理に不具合があった場合は、管理装置の管理データが不正に書き換えられることを未然に防止することができる。
【００２７】
請求項６に記載の発明によれば、管理装置から受信した管理データに所定の処理を施し、所定の処理後の管理データに基づく所定値と、所定の処理前に記憶させた管理データに基づく所定値とが、一致する場合に、所定の処理後の管理データを管理装置に送信することにより、設定端末でのデータ処理が適正に行なわれた場合だけ管理装置の管理データを書き換えることができる。
【００２８】
請求項７に記載の発明によれば、管理装置から受信した管理データに所定の処理を施し、所定の処理後の管理データに基づく所定値と、所定の処理前に記憶させた管理データに基づく所定値とが、一致しない場合に、所定の処理前に記憶させた管理データを管理装置に送信することにより、設定端末でのデータ処理に不具合があった場合に、管理装置の管理データが不正に書き換えられることを未然に防止することができる。
【００２９】
請求項８に記載の発明によれば、管理装置から設定端末に管理データを送信した後、設定端末から送信された管理データを管理装置で受信し、設定端末に送信した管理データに基づく所定値と、設定端末から受信した管理データに基づく所定値とが、一致する場合に、設定端末から受信した管理データを管理装置内に展開することにより、設定端末でのデータ処理が適正に行なわれた場合だけ管理装置の管理データを書き換えることができる。
【００３０】
請求項９に記載の発明によれば、管理装置から設定端末に管理データを送信した後、設定端末から送信された管理データを管理装置で受信し、設定端末に送信した管理データに基づく所定値と、設定端末から受信した管理データに基づく所定値とが、一致しない場合に、設定端末から受信した管理データを破棄することにより、設定端末でのデータ処理に不具合があった場合に、管理装置の管理データが不正に書き換えられることを未然に防止することができる。
【００３１】
請求項１０に記載の発明によれば、管理装置から受信した管理データに管理項目の変更処理を施し、管理項目変更処理後の管理データに含まれる画像形成枚数のカウント情報に基づく総カウント値又は利用者別のカウント値と、管理項目変更処理前に記憶した管理データに含まれる画像形成枚数のカウント情報に基づく総カウント値又は利用者別のカウント値とが、一致する場合に、管理項目変更処理後の管理データを管理装置に送信することにより、設定端末で管理項目の変更に伴うデータ処理が適正に行なわれた場合だけ管理装置の管理データを書き換えることができる。
【００３２】
請求項１１に記載の発明によれば、管理装置から受信した管理データに管理項目の変更処理を施し、管理項目変更処理後の管理データに含まれる画像形成枚数のカウント情報に基づく総カウント値又は利用者別のカウント値と、管理項目変更処理前に記憶した管理データに含まれる画像形成枚数のカウント情報に基づく総カウント値又は利用者別のカウント値とが、一致しない場合に、管理項目変更処理前に記憶した管理データを管理装置に送信することにより、設定端末で管理項目の変更に伴うデータ処理に不具合があった場合に、管理装置の管理データが不正に書き換えられることを未然に防止することができる。
【００３３】
請求項１２に記載の発明によれば、管理装置から受信した管理データに利用者情報の変更処理を施し、利用者情報変更処理後の管理データに含まれる利用者情報に基づく利用者数と、利用者情報変更処理前に記憶した管理データに含まれる利用者情報に基づく利用者数とが、一致する場合に、利用者情報変更処理後の管理データを管理装置に送信することにより、設定端末で利用者情報の変更に伴うデータ処理が適正に行なわれた場合だけ管理装置の管理データを書き換えることができる。
【００３４】
請求項１３に記載の発明によれば、管理装置から受信した管理データに利用者情報の変更処理を施し、利用者情報変更処理後の管理データに含まれる利用者情報に基づく利用者数と、利用者情報変更処理前に記憶した管理データに含まれる利用者情報に基づく利用者数とが、一致しない場合に、利用者情報変更処理前に記憶した管理データを管理装置に送信することにより、設定端末で利用者情報の変更に伴うデータ処理に不具合があった場合に、管理装置の管理データが不正に書き換えられることを未然に防止することができる。
【００３５】
請求項１４に記載の発明によれば、管理装置から受信した管理データに利用者数変更処理を施し、利用者数変更処理後の管理データに含まれる利用者情報に基づく利用者数と、利用者数変更処理前に記憶した管理データに含まれる利用者情報に基づく利用者数に利用者数変更処理による利用者数の増減分を反映した利用者数とが、一致する場合に、利用者数変更処理後の管理データを管理装置に送信することにより、設定端末で利用者数の変更に伴うデータ処理が適正に行なわれた場合だけ管理装置の管理データを書き換えることができる。
【００３６】
請求項１５に記載の発明によれば、管理装置から受信した管理データに利用者数変更処理を施し、利用者数変更処理後の管理データに含まれる利用者情報に基づく利用者数と、利用者数変更処理前に記憶した管理データに含まれる利用者情報に基づく利用者数に利用者数変更処理による利用者数の増減分を反映した利用者数とが、一致しない場合に、利用者数変更処理前に記憶した管理データを管理装置に送信することにより、設定端末で利用者数の変更に伴うデータ処理に不具合があった場合に、管理装置の管理データが不正に書き換えられることを未然に防止することができる。
【００３７】
請求項１６に記載の発明によれば、管理装置から設定端末に管理データを送信した後、設定端末から送信された管理データを管理装置で受信し、設定端末に送信した管理データに含まれる画像形成枚数に基づく総カウント値又は利用者別のカウント値と、設定端末から受信した管理データに含まれる画像形成枚数に基づく総カウント値又は利用者別のカウント値とが、一致する場合に、設定端末から受信した管理データを管理装置内に展開することにより、設定端末でのデータ処理が適正に行なわれた場合だけ管理装置の管理データを書き換えることができる。
【００３８】
請求項１７に記載の発明によれば、管理装置から設定端末に管理データを送信した後、設定端末から送信された管理データを管理装置で受信し、設定端末に送信した管理データに含まれる画像形成枚数に基づく総カウント値又は利用者別のカウント値と、設定端末から受信した管理データに含まれる画像形成枚数に基づく総カウント値又は利用者別のカウント値とが、一致しない場合に、設定端末から受信した管理データを破棄することにより、設定端末でのデータ処理に不具合があった場合に、管理装置の管理データが不正に書き換えられることを未然に防止することができる。
【発明を実施するための最良の形態】
【００３９】
以下、本発明の具体的な実施の形態について図面を参照しつつ詳細に説明する。
【００４０】
図１は本発明の実施形態に係る管理システムの構成例を示すブロック図である。管理システムは、大きくは、画像形成装置１と、管理装置２と、設定端末３とを備えた構成となっている。画像形成装置１は、用紙に画像を形成する複写機、プリンタ、ファクシミリ装置、複合機（多機能型複写機）などによって構成されるものである。
【００４１】
管理装置２は、画像形成装置１の使用実績情報を管理するものである。使用実績情報とは、実際に画像形成装置１を使用して、ある利用者が画像形成（コピー、プリントなど）を行なった場合に、いずれの画像形成モードを適用して、いずれの種類（サイズ、紙質）の用紙に、何枚の用紙を使用して画像を印刷したかを示す情報である。
【００４２】
管理装置２は、表示部２１と、操作部２２と、カード読取部２３と、記憶部２４と、管理制御部２５と、画像形成装置間通信制御部２６と、キーボード間通信制御部２７と、設定端末間通信制御部２８とを備える。
【００４３】
表示部２１は、画像形成装置１を使用する使用者や管理装置２を操作する操作者に対して、利用者コード（ＩＤ）、画像形成枚数（コピー枚数、プリント枚数）などを表示するものである。操作部２２は、管理装置２を操作する操作者によって入力操作されるものである。カード読取部２３は、利用者コードを記録した利用者カード（例えば、磁気カード、ＩＣカードなど）から、利用者コードを読み取るものである。
【００４４】
記憶部２４は、管理装置２で取り扱う種々のデータを記憶するために用いられるものである。管理制御部２５は、管理装置２で行なわれる種々の処理を統括的に制御するものである。管理制御部２５の具体的な処理内容については、後段で詳しく説明する。
【００４５】
画像形成装置間通信制御部２６は、画像形成装置１との間のデータ通信を制御するものである。キーボード間通信制御部２７は、キーボード４との間のデータ通信を制御するものである。キーボード４は、利用者ＩＤの入力やパスワードの入力に用いられるものである。利用者ＩＤは、画像形成装置１を利用する利用者（部門、個人）を識別するために、利用者別に割り当てられる固有の情報（部門ＩＤ、個人ＩＤ）である。パスワードは、画像形成装置１を利用する利用者を認証するために、利用者ＩＤごとに設定されるものである。
【００４６】
設定端末間通信制御部２８は、設定端末２との間のデータ通信を制御するものである。管理装置２と設定端末３との間では、例えば、ＲＳ−２３２Ｃ、ＵＳＢ(Universal Serial Bus)などのシリアル通信によってデータの送受信が行なわれる。
【００４７】
設定端末３は、管理装置２のメンテナンスに際して種々の設定を行なうものである。管理装置２のメンテナンスで設定端末３が設定する内容としては、管理装置２のソフトウェアのバージョンアップ、部門別又は個人別のＩＤコード情報の追加・削除・変更、使用実績情報として管理の対象となる画像形成モードの追加・削除などがある。
【００４８】
設定端末３は、例えば、ノート型のパーソナルコンピュータ（以下、「ＰＣ」）を用いて構成されるものであって、表示部３１と、操作部３２と、記憶部３３と、設定制御部３４と、管理装置間通信制御部３５と、データ処理部３６とを備える。
【００４９】
表示部３５は、設定端末３を操作する操作者（以下、「端末操作者」）に対して種々の情報を表示するものである。表示部３５は、ＰＣに付属の液晶ディスプレイによって構成される。操作部３６は、端末操作者によって入力操作されるものである。操作部３６は、ＰＣに付属のキーボード、ポインティングデバイス（タッチパッド）によって構成される。
【００５０】
記憶部３３は、設定端末３で取り扱う種々のデータを記憶するために用いられるものである。記憶部３３は、ＰＣに付属のハードディスクドライブによって構成される。設定制御部３４は、設定端末３で行なわれる種々の処理を統括的に制御するものである。設定制御部３４の具体的な処理内容については、後段で詳しく説明する。
【００５１】
管理装置間通信制御部３５は、管理装置２との間のデータ通信を制御するものである。なお、管理装置２と設定端末３は、必要に応じて、通信ケーブル等により接続されるものである。データ処理部３６は、管理装置１から取り込んだ管理データに所定の処理を施すものである。データ処理部３６の具体的な処理内容については、後段で詳しく説明する。
【００５２】
図２は管理項目の変更に係る設定端末の処理手順を示すフローチャートである。管理項目とは、管理装置２が画像形成装置１の使用実績情報を管理する際に管理の対象とする項目であって、例えば、「用紙サイズ」、「カラーモード」、「片面・両面」などで区分される項目をいう。また、管理項目の変更とは、管理項目（パラメータ）を追加又は削除することをいう。管理項目の追加は、現在管理している管理項目の他に新たに管理対象としたい項目があるときに適用され、管理項目の削除は、現在管理している管理項目の中に管理不要となった項目があるときに適用される。
【００５３】
図３は管理項目を変更する際に行なわれるデータのフォーマット変換処理の内容を示す図である。図示のように、管理項目の変更に際して、管理装置２から設定端末３に送られる管理データには、画像形成枚数のカウント情報が含まれている。画像形成枚数のカウント情報は、画像形成装置１の使用実績情報を管理するうえで、管理装置２が利用者別に各々の管理項目に分けてカウントした画像形成枚数のカウント値を示す情報である。このカウント値は、例えば、「用紙サイズ」、「カラーモード」、「片面・両面」で区分される管理項目ごとに、管理装置２でカウントされた画像形成枚数（図例ではコピー枚数）を示すものである。「用紙サイズ」で区分される管理項目には、「Ａ３」、「Ａ４」、「Ｂ４」、「Ｂ５」、「その他」などがある。「カラーモード」で区分される管理項目には、「カラー」と「白黒」などがある。「片面・両面」で区分される管理項目には、コピーモードとして、原稿の片面から読み取った画像を用紙の片面に印刷する「片→片」、原稿の片面から読み取った画像を用紙の両面に印刷する「片→両」、原稿の両面から読み取った画像を用紙の両面に印刷する「両→両」、「その他」などがある。
【００５４】
図示したデータフォーマット変換処理においては、管理項目の変更内容として、「片面・両面」で区分される管理項目のうち、「片→片」の管理項目を削除し、「両→両」の管理項目を追加するケースを例示している。また、図中左端の管理データはフォーマット変換前のデータを示し、図中右端の管理データはフォーマット変換後のデータを示し、図中真ん中の管理データはフォーマット変換途中の中間的なデータを概念的に示している。
【００５５】
「片→片」の管理項目を削除するイベントでは、「片→片」の管理項目に対応するカウント値を、「その他」のカウント値に加算処理した後で、「片→片」の行を削除する。また、「両→両」の管理項目を追加するイベントでは、「両→両」の行を新たに作成し、そのカウント値を０（零）とする。
【００５６】
上記図２において、まず、設定制御部３４は、管理項目変更画面を表示部３１に表示して、端末操作者による管理項目の変更（追加、削除）指示を操作部３２から受け付ける（ステップＳ１）。次に、設定制御部３４は、上記ステップＳ１で受け付けた管理項目の変更内容を記憶部３３に記憶する（ステップＳ２）。
【００５７】
次に、設定制御部３４は、管理装置間通信制御部３５を介して、管理装置２に管理項目の変更に必要となる管理データの送信を要求するコマンドを送信した後（ステップＳ３）、管理装置２からのデータ受信待ち状態となる（ステップＳ４）。管理項目の変更に必要となる管理データには、画像形成枚数のカウント情報が含まれる。
【００５８】
次に、設定制御部３４は、上記データ送信要求コマンドへの応答として、管理装置２から自装置（設定端末３）に送信された管理データを、管理装置間通信制御部３５を介して受信するとともに、受信した管理データを記憶部３３に記憶する（ステップＳ５）。
【００５９】
次に、設定制御部３４は、上記ステップＳ５で記憶部３３に記憶した管理データに含まれる画像形成枚数のカウント情報に基づいて利用者別のカウント値を算出するとともに、算出した利用者別のカウント値を記憶部３３に記憶する（ステップＳ６）。利用者別のカウント値とは、管理装置２から受信した管理データに含まれる画像形成枚数のカウント情報の中で、共通の利用者ＩＤ（部門ＩＤ、個人ＩＤ）に対応付けてカウントされた画像形成枚数のカウント値を加算処理して得られる値である。
【００６０】
例えば、上記図３の管理データにおいては、利用者ＩＤとなる部門ＩＤ（部門番号）＝１００に対応付けてカウントされた画像形成枚数のカウント値を加算処理すると、「１５２３」となるため、この値が、部門ＩＤ＝１００に対応する利用者別のカウント値として記憶部３３に記憶される。また、図示しない他の利用者ＩＤ（部門ＩＤ、個人ＩＤ）についても、同様に各々の利用者ＩＤに対応付けて利用者別のカウント値が記憶部３３に記憶される。なお、管理装置２から受信した管理データのデータ構造として、利用者別のカウント値の項目が存在する場合は、そこから抽出した値を、利用者別のカウント値として記憶部３３に記憶してもよい。
【００６１】
次に、設定制御部３４は、上記ステップＳ５で受信した管理データをデータ処理部３６に転送し、このデータ処理部３６において、上記ステップＳ２で記憶部３３に記憶した管理項目の変更内容に基づいて、例えば上記図３に示したデータのフォーマット変換処理により、管理項目の変更処理を行なう（ステップＳ７）。
【００６２】
次に、設定制御部３４は、管理項目変更処理（フォーマット変換処理）後の管理データに含まれる画像形成枚数のカウント情報に基づいて利用者別のカウント値を算出する（ステップＳ８）。
【００６３】
次に、設定制御部３４は、上記ステップＳ６で記憶部３３に記憶した利用者別のカウント値と、上記ステップＳ８で算出した利用者別のカウント値とを比較する（ステップＳ９）。そして、比較対象とした利用者別のカウント値が一致する場合（ステップＳ１０でＹｅｓの場合）は、管理項目変更処理後の管理データを管理装置２に送信する（ステップＳ１１）。ちなみに、設定端末３から送信された管理データを受信した管理装置２では、受信した管理データを記憶部２４に書き込む（上書き）することにより、管理データを更新することになる。次に、設定制御部３４は、記憶部３３に退避してある管理データを削除して、管理項目の変更に成功した旨を表示部３１に表示する（ステップＳ１２）。
【００６４】
また、設定制御部３４は、上記ステップＳ９で比較対象とした利用者別のカウント値が一致しない場合（ステップＳ１０でＮｏの場合）は、上記ステップＳ５で記憶部３３に退避させた管理データ（管理項目変更処理前に記憶した管理データ）を管理装置２に送信する（ステップＳ１３）。次に、設定制御部３４は、記憶部３３に退避してある管理データを削除して、管理項目の変更に失敗した旨を表示部３１に表示する（ステップＳ１４）。
【００６５】
なお、上記の処理例では、ステップＳ５で管理装置２から受信した管理データを記憶部３３に記憶した後、次のステップＳ６でその管理データに含まれる画像形成枚数のカウント情報に基づいて利用者別のカウント値を算出しているが、ステップＳ６で行なっている利用者別のカウント値の算出は、ステップＳ９で利用者別のカウント値を比較する前であれば、いずれのタイミングで行なってもよい。
【００６６】
また、上記の処理例では、管理項目の変更処理（フォーマット変換処理）が適切に行なわれたかどうかを、管理項目変更処理前の管理データに基づいて算出（又は抽出）した利用者別のカウント値と、管理項目変更処理後の管理データに基づいて算出した利用者別のカウント値とを比較することにより判断しているが、これに限らず、「利用者別のカウント値」に代えて「総カウント値」を適用してもよい。総カウント値とは、管理データに含まれる画像形成枚数のカウント値を全て加算処理して得られるものである。したがって、例えば、利用者ＩＤが１〜１００まで存在する場合は、各々の利用者ＩＤに対応する利用者別のカウント値を全て加算処理した値が総カウント値となる。
【００６７】
図４は利用者情報の変更に係る設定端末の処理手順を示すフローチャートである。利用者情報とは、画像形成装置１の利用が許可された利用者に関する情報であって、上述した利用者ＩＤとパスワードを含む情報である。この利用者情報は、管理データの一つとして管理装置２で管理される。
【００６８】
まず、設定制御部３４は、利用者情報変更画面を表示部３１に表示して、端末操作者による利用者情報の変更指示を操作部３２から受け付ける（ステップＳ２１）。次に、設定制御部３４は、上記ステップＳ２１で受け付けた利用者情報の変更内容を記憶部３３に記憶する（ステップＳ２２）。
【００６９】
次に、設定制御部３４は、管理装置間通信制御部３５を介して、管理装置２に利用者情報の変更に必要となる管理データの送信を要求するコマンドを送信した後（ステップＳ２３）、管理装置２からのデータ受信待ち状態となる（ステップＳ２４）。利用者情報の変更に必要となる管理データには、管理対象となる全ての利用者に関して利用者ＩＤとパスワードを関連付けた利用者情報が含まれる。
【００７０】
次に、設定制御部３４は、上記データ送信要求コマンドへの応答として、管理装置２から自装置（設定端末３）に送信された管理データを、管理装置間通信制御部３５を介して受信するとともに、受信した管理データを記憶部３３に記憶する（ステップＳ２５）。
【００７１】
次に、設定制御部３４は、上記ステップＳ２５で記憶部３３に記憶した管理データに含まれる利用者情報に基づいて利用者数を算出するとともに、算出した利用者数を記憶部３３に記憶する（ステップＳ２６）。利用者数は、管理データに含まれる利用者情報の中で、利用者ＩＤの個数を全て足し合わせることで得られる。
【００７２】
次に、設定制御部３４は、上記ステップＳ３５で受信した管理データをデータ処理部３６に転送し、このデータ処理部３６において、上記ステップＳ２２で記憶部３３に記憶した利用者情報の変更内容に基づいて、管理データの利用者情報を変更（書き換え）する処理を行なう（ステップＳ７）。
【００７３】
その際、データ処理部３６において、例えば、利用者情報の変更内容が、ある利用者のパスワードを変更する内容であれば、該当する利用者ＩＤに関連付けて登録されているパスワードを、変更内容として記憶部３３に記憶されているパスワードに書き換えることにより、利用者情報を変更する。また、利用者情報の変更内容が、ある利用者のＩＤを変更する内容であれば、該当する利用者のＩＤを、変更内容として記憶部３３に記憶されているＩＤに書き換えることにより、利用者情報を変更する。
【００７４】
次に、設定制御部３４は、利用者情報変更処理後の管理データに含まれる利用者情報に基づいて利用者数を算出する（ステップＳ２８）。
【００７５】
次に、設定制御部３４は、上記ステップＳ２６で記憶部３３に記憶した利用者数と、上記ステップＳ２８で算出した利用者数とを比較する（ステップＳ２９）。そして、比較対象とした利用者数が一致する場合（ステップＳ３０でＹｅｓの場合）は、利用者情報変更処理後の管理データを管理装置２に送信する（ステップＳ３１）。ちなみに、設定端末３から送信された管理データを受信した管理装置２では、受信した管理データを記憶部２４に書き込む（上書き）することにより、管理データを更新することになる。次に、設定制御部３４は、記憶部３３に退避してある管理データを削除して、利用者情報の変更に成功した旨を表示部３１に表示する（ステップＳ３２）。
【００７６】
また、設定制御部３４は、上記ステップＳ２９で比較対象とした利用者数が一致しない場合（ステップＳ３０でＮｏの場合）は、上記ステップＳ２５で記憶部３３に退避させた管理データ（利用者情報変更処理前に記憶した管理データ）を管理装置２に送信する（ステップＳ３３）。次に、設定制御部３４は、記憶部３３に退避してある管理データを削除して、利用者情報の変更に失敗した旨を表示部３１に表示する（ステップＳ３４）。
【００７７】
なお、上記の処理例では、ステップＳ２５で管理装置２から受信した管理データを記憶部３３に記憶した後、次のステップＳ２６で利用者数を算出しているが、ステップＳ２６で行なっている利用者数の算出は、ステップＳ２９で利用者数を比較する前であれば、いずれのタイミングで行なってもよい。
【００７８】
図５は利用者数の変更に係る設定端末の処理手順を示すフローチャートである。利用者数の変更とは、利用者の追加又は削除によって利用者数を増減することをいう。また、利用者の追加とは、ある利用者の利用者ＩＤと当該利用者ＩＤに対応するパスワードを新規の利用者情報として管理データに登録することをいい、利用者の削除とは、管理データに登録されている利用者情報の中から、ある利用者の利用者ＩＤとこれに対応するパスワードを削除することをいう。
【００７９】
まず、設定制御部３４は、利用者数変更画面を表示部３１に表示して、端末操作者による利用者数の変更指示を操作部３２から受け付ける（ステップＳ４１）。次に、設定制御部３４は、上記ステップＳ４１で受け付けた利用者数の変更内容を記憶部３３に記憶する（ステップＳ４２）。
【００８０】
次に、設定制御部３４は、管理装置間通信制御部３５を介して、管理装置２に利用者数の変更に必要となる管理データの送信を要求するコマンドを送信した後（ステップＳ４３）、管理装置２からのデータ受信待ち状態となる（ステップＳ４４）。利用者数の変更に必要となる管理データには、管理対象となる全ての利用者に関して利用者ＩＤとパスワードを関連付けた利用者情報が含まれる。
【００８１】
次に、設定制御部３４は、上記データ送信要求コマンドへの応答として、管理装置２から自装置（設定端末３）に送信された管理データを、管理装置間通信制御部３５を介して受信するとともに、受信した管理データを記憶部３３に記憶する（ステップＳ４５）。
【００８２】
次に、設定制御部３４は、上記ステップＳ４５で記憶部３３に記憶した管理データに含まれる利用者情報に基づいて利用者数を算出するとともに、算出した利用者数を記憶部３３に記憶する（ステップＳ４６）。利用者数は、管理データに含まれる利用者情報の中で、利用者ＩＤの個数を全て足し合わせることで得られる。
【００８３】
次に、設定制御部３４は、上記ステップＳ４５で受信した管理データをデータ処理部３６に転送し、このデータ処理部３６において、上記ステップＳ４２で記憶部３３に記憶した利用者数の変更内容に基づいて、利用者を追加又は削除するように、管理データの利用者情報を書き換える処理を行なう（ステップＳ４７）。
【００８４】
その際、データ処理部３６は、例えば、利用者数の変更内容が、利用者を追加する内容であれば、変更内容として記憶部３３に記憶されている利用者ＩＤとパスワードを管理データに登録することにより、利用者数を増やす。また、利用者数の変更内容が、利用者を削除する内容であれば、変更内容として記憶部３３に記憶されている利用者ＩＤとパスワードを管理データから削除することにより、利用者数を減らす。
【００８５】
次に、設定制御部３４は、利用者情報変更処理後の管理データに含まれる利用者情報に基づいて利用者数を算出する（ステップＳ４８）。
【００８６】
次に、設定制御部３４は、上記ステップＳ４６で記憶部３３に記憶した利用者数に、上記ステップＳ４７における利用者数変更処理による利用者数の増減分を反映させた利用者数を算出する（ステップＳ４９）。例えば、上記ステップＳ４７における利用者数変更処理で利用者を追加した場合は、そこで追加した利用者の数を、上記ステップＳ４６で記憶部３３に記憶した利用者数に加算することにより、利用者数の増加分を反映させた利用者数を算出する。また、上記ステップＳ４７における利用者数変更処理で利用者を削除した場合は、そこで削除した利用者の数を、上記ステップＳ４６で記憶部３３に記憶した利用者数から減算することにより、利用者数の減少分を反映させた利用者数を算出する。
【００８７】
次に、設定制御部３４は、上記ステップＳ４８で算出した利用者数と、上記ステップＳ４９で算出した利用者数とを比較する（ステップＳ５０）。そして、比較対象とした利用者数が一致する場合（ステップＳ５１でＹｅｓの場合）は、利用者数変更処理後の管理データを管理装置２に送信する（ステップＳ５２）。ちなみに、設定端末３から送信された管理データを受信した管理装置２では、受信した管理データを記憶部２４に書き込む（上書き）することにより、管理データを更新することになる。次に、設定制御部３４は、記憶部３３に退避してある管理データを削除して、利用者数の変更に成功した旨を表示部３１に表示する（ステップＳ５３）。
【００８８】
また、設定制御部３４は、上記ステップＳ５０で比較対象とした利用者数が一致しない場合（ステップＳ５１でＮｏの場合）は、上記ステップＳ４５で記憶部３３に退避させた管理データ（利用者数変更処理前に記憶した管理データ）を管理装置２に送信する（ステップＳ５４）。次に、設定制御部３４は、記憶部３３に退避してある管理データを削除して、利用者数の変更に失敗した旨を表示部３１に表示する（ステップＳ５５）。
【００８９】
なお、上記の処理例では、ステップＳ４５で管理装置２から受信した管理データを記憶部３３に記憶した後、次のステップＳ４６で利用者数を算出しているが、ステップＳ４６で行なっている利用者数の算出は、ステップＳ４９の処理を行なう前であれば、いずれのタイミングで行なってもよい。
【００９０】
図６は管理項目の変更に係る管理装置の処理手順を示すフローチャートである。まず、管理制御部２５は、管理項目の変更処理を行なう設定端末３からのデータ送信要求を、設定端末間通信制御部２８を介して受け付ける（ステップＳ６１）。次に、管理制御部２５は、送信要求のあった管理データに含まれる画像形成枚数のカウント情報に基づいて、総カウント値を算出するとともに、算出した総カウント値を記憶部２４に記憶する（ステップＳ６２）。総カウント値の算出方法については、前述したとおりである。
【００９１】
次に、管理制御部２５は、上記ステップＳ６１で受け付けたデータ送信要求への応答として、画像形成枚数のカウント情報を含む管理データを、設定端末間通信制御部２８を介して設定端末３に送信した後（ステップＳ６３）、設定端末３からのデータ受信待ち情報となる（ステップＳ６４）。このとき、設定端末３に送信される管理データは、管理制御部２５が記憶部２４から読み出して送信するデータであるため、設定端末３に送信した後も、管理装置２の記憶部２４には、設定端末３に送信した管理データと同じ管理データが残っている。また、管理装置２から送信された管理データを受信した設定端末３では、受信した管理データに関して、例えば上記図２に示す処理手順にしたがって管理項目を変更するための処理を行なう。
【００９２】
次に、管理制御部２５は、設定端末３から自装置（管理装置２）に送信された管理データを、設定端末間通信制御部２８を介して受信する（ステップＳ６５）。次に、管理制御部２５は、上記ステップＳ６５で受信した管理データに含まれる画像形成枚数のカウント情報に基づいて、総カウント値を算出する（ステップＳ６６）。
【００９３】
次に、管理制御部２５は、上記ステップＳ６２で記憶部２４に記憶した総カウント値と、上記ステップＳ６６で算出した総カウント値とを比較する（ステップＳ６７）。そして、比較対象とした総カウント値が一致する場合（ステップＳ６８でＹｅｓの場合）は、上記ステップＳ６５で受信した管理データを自装置内に展開する（ステップＳ６９）。管理装置２における管理データの展開処理は、もともと記憶部３３に記憶されている管理データを、設定端末３から受信した管理データで上書き（更新）することにより行なう。
【００９４】
また、管理制御部２５は、上記ステップＳ６７で比較対象とした総カウント値が一致しない場合（ステップＳ６８でＮｏの場合）は、上記ステップＳ６５で受信した管理データを破棄する（ステップＳ７０）。
【００９５】
なお、上記の処理例では、ステップＳ６３で管理データを送信する前に、ステップＳ６２で総カウント値を算出しているが、ステップＳ６２の算出処理は、ステップＳ６７の処理を行なう前であれば、いずれのタイミングで行なってもよい。
【００９６】
また、上記の処理例では、設定端末３から受信した管理データを、管理装置２内に展開するか、破棄するかを、「総カウント値」の比較によって判断しているが、これに限らず、「総カウント値」に代えて「利用者別のカウント値」を適用してもよい。
【００９７】
また、上記図２、図４又は図５に示す処理を実行する端末装置３と上記図６に示す処理を実行する管理装置２とを適宜組み合わせて管理システムを構成してもよい。
【００９８】
また、上記図２、図４、図５に示す処理は、端末装置３が備えるＣＰＵ(Central Processing Unit)、ＲＯＭ(Read-Only Memory)、ＲＡＭ(Random Access Memory)、ハードディスク(Hard Disk Drive)等のコンピュータ・ハードウェア資源を用いて、例えば、ＲＯＭ又はハードディスクに格納されたプログラムをＣＰＵがＲＡＭに読み出して実行することにより、ソフトウェア的に実現することが可能であり、またそのためのプログラムやこのプログラムを格納した記録媒体を発明として抽出することも可能である。同様に、上記図６に示す処理は、管理装置２が備える上記同様のコンピュータ・ハードウェア資源を用いてソフトウェア的に実現することが可能であり、そのためのプログラムやこのプログラムを格納した記録媒体を発明として抽出することも可能である。また、各々の処理機能を実現するプログラムは、予め設定端末３や管理装置２にインストールされていてもよいし、光ディスク（ＣＤ−ＲＯＭ、ＤＶＤを含む）、磁気ディスク（ＦＤを含む）、光磁気ディスク（ＭＤを含む）、半導体メモリ等のコンピュータで読み取り可能な記録媒体に格納して提供されてもよいし、有線あるいは無線などの通信網を介して提供されてもよい。
【図面の簡単な説明】
【００９９】
【図１】本発明の実施形態に係る管理システムの構成例を示すブロック図である。
【図２】管理項目の変更に係る設定端末の処理手順を示すフローチャートである。
【図３】管理項目の変更に係るデータフォーマット変換処理の内容を示す図である。
【図４】利用者情報の変更に係る設定端末の処理手順を示すフローチャートである。
【図５】利用者数の変更に係る設定端末の処理手順を示すフローチャートである。
【図６】管理項目の変更に係る管理装置の処理手順を示すフローチャートである。
【符号の説明】
【０１００】
１…画像形成装置、２…管理装置、３…設定端末
【図１】
2008040708.tif 000003
【図２】
2008040708.tif 000004
【図３】
2008040708.tif 000005
【図４】
2008040708.tif 000006
【図５】
2008040708.tif 000007
【図６】
2008040708.tif 000008